(57)【要約】【課題】軸受の異常振動や異音、過昇温、過大応力を軽減した軸受およびその保持器を提供する。【解決手段】このアンギュラ玉軸受は、外輪２の内周面における軌道面２ａを挟む片方に保持器４を案内する案内面２ｂを有し、他の片方にカウンタボア５を有する。保持器４は、転動体３を保持するポケット６を幅方向の中間に有する円筒状である。保持器４は、外周面における外輪２の案内面２ｂで案内される被案内面４ａよりも幅方向の外側に広がる幅増大部７を有する。また、保持器４は、外輪２のカウンタボア５側の部分における外周に、外径が前記被案内面４ａの外径よりも大きい外径増大部８を有する。【選択図】図１
2020041578.tif 000002
【特許請求の範囲】
【請求項１】
外輪の内周面における転動体の軌道面を挟む片方に保持器を案内する案内面を有し、他の片方にカウンタボアを有するアンギュラ玉軸受であって、
前記保持器は、
前記転動体を保持する周方向複数個所のポケットが幅方向の中間に並ぶ円筒状であり、  外周面における前記外輪の前記案内面で案内される被案内面部よりも前記幅方向の外側に広がる幅増大部を有し、
かつ前記保持器の前記外輪カウンタボア側の部分における外周に、外径が前記被案内面の外径よりも大きい外径増大部を有するアンギュラ玉軸受。
【請求項２】
請求項１に記載のアンギュラ玉軸受であって、前記保持器の前記外輪カウンタボア側の部分の前記外径増大部の外周面に、半径方向に延びるスリットが円周方向に並んで複数設けられたアンギュラ玉軸受。
【請求項３】
請求項１または請求項２に記載のアンギュラ玉軸受において、前記保持器の前記被案内面と前記外輪の前記案内面との間の隙間δａに対する、前記保持器の前記外径増大部における最大径部分の外周面とこの外周面に対向する前記外輪の内周面との間の隙間δｂの関係が、
δａ＜δｂ≦２δａ
であるアンギュラ玉軸受。
【請求項４】
請求項１ないし請求項３のいずれか１項に記載のアンギュラ玉軸受において、前記保持器の前記被案内面と、前記保持器の前記外径増大部における最大径部分の外周面とが、いずれも円筒面であって、両円筒面の部分の軸方向長さが互いに等しいアンギュラ玉軸受。
【請求項５】
請求項１ないし請求項４のいずれか１項に記載のアンギュラ玉軸受において、前記保持器の前記ポケットの中心となる幅方向中心に対する、前記被案内面を有する側の保持器半部の体積と、前記外径増大部を有する側の保持器半部の体積とが互いに同じであるアンギュラ玉軸受。
【請求項６】
請求項１ないし請求項６のいずれか１項に記載のアンギュラ玉軸受において、前記保持器の前記幅増大部の外周面が、前記被案内面よりも前記外輪の内周面から離れる第１の逃がし部とされ、前記保持器の前記外径増大部における幅方向の中央側の部分の外周面が、幅方向の中央に近づくに従って小径となる第２の逃がし部とされたアンギュラ玉軸受。
【請求項７】
請求項１ないし請求項６のいずれか１項に記載のアンギュラ玉軸受において、潤滑形式が、エアオイル潤滑またはオイルミスト潤滑であるアンギュラ玉軸受。
【請求項８】
外輪の内周面における転動体の軌道面を挟む片方に保持器を案内する案内面を有し、他の片方にカウンタボアを有するアンギュラ玉軸受における保持器であって、
前記転動体を保持する周方向複数個所のポケットが幅方向の中間に並ぶ円筒状であり、  外周面における前記外輪の前記案内面で案内される被案内面よりも前記幅方向の外側に広がる幅増大部を有し、
かつ前記外輪カウンタボア側の部分における外周に、外径が前記被案内面の外径よりも大きい外径増大部を有するアンギュラ玉軸受保持器。
【発明の詳細な説明】
【技術分野】
【０００１】
この発明は、工作機械主軸用軸受やその他の機器に用いられるアンギュラ玉軸およびその保持器に関する。
【背景技術】
【０００２】
工作機械主軸軸受をはじめ、高速運転される支持軸受では、アンギュラ玉軸受が広く使用され、その保持器には、外輪案内保持器や、転動体案内保持器が使用されることが多い。
その潤滑には、常に新しい油を外部から供給し、長期にわたり安定した潤滑状態を保つことのできるエアオイル潤滑やオイルミスト潤滑がある。また、付帯設備や配管を必要としないことから経済性に優れ、ミストの発生が極めて少ないことで、環境に優しいグリース潤滑がある。
工作機械主軸の中でもマシニングセンタなどのより高速な領域（dn値１２０万以上）では、潤滑の信頼性が高いエアオイル潤滑やオイルミスト潤滑が採用され、その保持器は、外輪案内保持器が多く使用される。
【０００３】
そういったdn値１２０万を超えるような高速運転では、安定した軸受の運転が必要なため、外輪案内保持器における案内の仕方を工夫している。この工夫としては、例えば、従来の片側案内の案内面を広げたり、片側だけでなく両側に案内面を設けるなどの技術がある。
【先行技術文献】
【特許文献】
【０００４】
【特許文献１】特開２００１−１４０８７０号公報
【発明の概要】
【発明が解決しようとする課題】
【０００５】
工作機械主軸をはじめ、高速運転される支持軸受として使用されるアンギュラ玉軸受は、近年、高速と高剛性の両立が要求されるため、安定した高速回転が可能で、かつ、軸受の予圧を高く取ることが必要である。また、環境対応や省エネの観点から潤滑に使用する油量も年々減り、軸受としてはより厳しい使われ方が増えている。
そのため、高速運転時に有利で信頼性の高いエアオイル潤滑においても、軸受の発熱や保持器における以下の課題がある。
【０００６】
(1) 希薄潤滑や異物侵入によって発生する保持器の触れ回りや傾きによる異常振動・異音。
(2) 希薄潤滑や異物侵入によって発生する転動体の進み遅れや、保持器の触れ回り、傾きに伴う保持器の変形により発生する過大応力。
【０００７】
この発明は、上記の課題を解消するものであり、その目的は、軸受の異常振動や異音、過昇温、過大応力を軽減した軸受およびその保持器を提案することである。
【課題を解決するための手段】
【０００８】
この発明のアンギュラ玉軸受は、外輪の内周面における転動体の軌道面を挟む片方に保持器を案内する案内面を有し、他の片方にカウンタボアを有するアンギュラ玉軸受であって、
前記保持器は、
前記転動体を保持する周方向複数個所のポケットが幅方向の中間に並ぶ円筒状であり、  外周面における前記外輪の前記案内面で案内される被案内面よりも前記幅方向の外側に広がる幅増大部を有し、
かつ前記保持器の前記外輪カウンタボア側の部分における外周に、外径が前記被案内面の外径よりも大きい外径増大部を有するアンギュラ玉軸受。
この明細書において、前記「幅方向の中間」は、幅方向の端を除く意味であり、中央に限らない。
【０００９】
この構成によると、保持器が、被案内面よりも前記幅方向の外側に広がる幅増大部を有することで保持器全体の重量が増える。また、保持器の外輪カウンタボア側の部分における外周に、外径が前記被案内面の外径より大きい外径増大部を有するため、保持器の重量がさらに増える。そのため、外輪内周の案内面における保持器外周面との接触箇所で異物侵入時等に発生する大きな摩擦力による保持器の激しい振れ回りが抑えられ、異音を防ぐことができる。保持器における外輪カウンタボア側の部分は、内外輪のいずれにも案内されないため、カウンタボア側部分だけの重量増大では振れ回りの抑制効果が十分には得難いが、案内面側の重量を増やすので上記の振れ回りの抑制効果が良好に得られる。
また、前記外径増大部を設けると、保持器剛性が高まる。そうすることで、保持器の変形が抑えられ、更には、保持器変形や転動体の進み遅れに伴う保持器の無理な応力が抑制される。
保持器における外輪カウンタボア側の外径増大部は、通常は内外輪のいずれにも案内されないが、前記被案内面の外径よりも外径が大きい外径増大部が設けれているため、保持器が過度に振れ触れ回ろうとした場合は、外径増大部が外輪のカウンタボア部分の内周面に接するサポート手段となることで保持器の最大の傾きが防止され、保持器の大きな傾きや振れ回りが抑えられる。
このように、保持器の外輪カウンタボア側の外径増大部は、保持器の重量増と、傾き角度抑制と、剛性増との３つの役割を兼ねる。
また、このアンギュラ玉軸受は、外輪内周面と保持器外周面との案内に関する構成を、一般的なアンギュラ玉軸受に対して変更することなく、上記の各効果が得られる。保持器のポケットの形成箇所については寸法変更がないため、保持器による転動体の周方向案内に関する構成を変更することなく、上記各効果を得ることができる。
【００１０】
この発明において、前記保持器の前記外輪カウンタボア側の部分の前記外径増大部の外周面に、半径方向に延びるスリットが円周方向に並んで複数設けられていてもよい。
外径増大部に前記スリットが設けられていると、軸受の発熱、すなわち外径増大部を設けたことによる保持器の外輪との接触面の増加による発熱や、転動体が転走する軸受空間から保持器側面までの排気隙間の狭小化による熱の籠もりによる軸受の発熱が抑えられる。
【００１１】
この発明において、前記保持器の前記被案内面と前記外輪の前記案内面との間の隙間δａに対する、前記保持器の前記外径増大部における最大径部分の外周面とこの外周面に対向する前記外輪の内周面との間の隙間δｂの関係が、
δａ＜δｂ≦２δａ
であってもよい。
前記外径増大部は、前述のように保持器の重量増加、傾き角度抑制、および過大応力抑制の効果を奏する部分であるが、外径が小さ過ぎると、前記傾き角度抑制の効果が得られず、外径が大き過ぎると無駄な接触による摩擦増や発熱増の問題が生じる。
前記隙間δｂの範囲であると、前記保持器の傾き角度抑制の効果を得ながら、発熱増を抑制することができる。
【００１２】
この発明において、前記保持器の前記被案内面と、前記保持器の前記外径増大部における最大径部分の外周面とが、いずれも円筒面であって、両円筒面の部分の軸方向長さが互いに等しくてもよい。
保持器の被案内面、および外径増大部における外輪の内周面に接触する部分が円筒面であると、外輪の内周面に対して偏った接触とならず、接触しても円滑な回転が可能となる。この場合に、前記両円筒面の部分の軸方向長さが互いに等しいと、保持器に作用する転動体の両側での摩擦抵抗のバランスが得られる。
【００１３】
この発明において、前記保持器の前記ポケットの中心となる幅方向中心に対する、前記被案内面を有する側となる保持器半部と、前記外径増大部を有する保持器半部との体積が互いに同じであってもよい。
前記両保持器半部の体積が同じであると、転動体の中心に対する両側の保持器半部の保持器重量が等しくなるため、保持器の回転がより一層安定する。
【００１４】
この発明において、前記保持器の前記幅増大部の外周面が、前記被案内面よりも前記外輪の内周面から離れる第１の逃がし部とされ、前記保持器の前記外径増大部における幅方向の中央側の部分の外周面が、幅方向の中央に近づくに従って小径となる第２の逃がし部とされていてもよい。
上記のように保持器の前記幅増大部の外周面が、被案内面部よりも前記外輪の内周面から離れる逃がし面とされていると、保持器幅を広げながら潤滑油の流動性に優れ、軸受の発熱をより良好に防止することができる。
また、上記のように保持器の前記外径増大部における幅方向の中央側の部分の外周面が、幅方向の中央に近づくに従って小径となる逃がし部とされていると、外径増大部を設けながら、潤滑油の流動性に優れ、これによっても軸受の発熱をより良好に防止することができる。
【００１５】
この発明のアンギュラ玉軸受は、潤滑形式が、エアオイル潤滑またはオイルミスト潤滑であってもよい。
エアオイル潤滑やオイルミスト潤滑のアンギュラ玉軸受は、潤滑の信頼性が高いことから、工作機械主軸、特にマシニングセンタの主軸等の高速な回転領域で用いられることが多い。このような高速運転の用途に用いた場合、この発明の上記構成、効果が、より効果的に発揮される。
【００１６】
この発明のアンギュラ玉軸受保持器は、外輪の内周面における転動体の軌道面を挟む片方に保持器を案内する案内面を有し、他の片方にカウンタボアを有するアンギュラ玉軸受における保持器であって、
前記転動体を保持する周方向複数個所のポケットが幅方向の中間に並ぶ円筒状であり、  外周面における前記外輪の前記案内面で案内される被案内面よりも前記幅方向の外側に広がる幅増大部を有し、
かつ前記外輪カウンタボア側の部分における外周に、外径が前記被案内面の外径よりも大きい外径増大部を有する。
この構成によると、この発明のアンギュラ玉軸受につき前述したように、軸受の異常振動や異音、過昇温、過大応力を軽減することができる。
【発明の効果】
【００１７】
この発明のアンギュラ玉軸受は、外輪の内周面における転動体の軌道面を挟む片方に保持器を案内する案内面を有し、他の片方にカウンタボアを有するアンギュラ玉軸受であって、前記保持器は、前記転動体を保持する周方向複数個所のポケットが幅方向の中間に並ぶ円筒状であり、外周面における前記外輪の前記案内面で案内される被案内面よりも前記幅方向の外側に広がる幅増大部を有し、かつ前記保持器の前記外輪カウンタボア側の部分における外周に、外径が前記被案内面の外径よりも大きい外径増大部を有するため、軸受の異常振動や異音、過昇温を軽減することができる。
【００１８】
この発明のアンギュラ玉軸受保持器は、外輪の内周面における転動体の軌道面を挟む片方に保持器を案内する案内面を有し、他の片方にカウンタボアを有するアンギュラ玉軸受における保持器であって、前記転動体を保持する周方向複数個所のポケットが幅方向の中間に並ぶ円筒状であり、  外周面における前記外輪の前記案内面で案内される被案内面よりも前記幅方向の外側に広がる幅増大部を有し、かつ前記外輪カウンタボア側の部分における外周に、外径が前記被案内面の外径よりも大きい外径増大部を有するため、軸受の異常振動や異音、過昇温を軽減することができる。
【図面の簡単な説明】
【００１９】
【図１】この発明の一実施形態に係るアンギュラ玉軸受の部分断面図である。
【図２】同アンギュラ玉軸受における保持器を軸方向に見た部分拡大断面図である。
【図３】同アンギュラ玉軸受とノズル付き外輪間座とを示す断面図である。
【図４】同アンギュラ玉軸受と従来のアンギュラ玉軸受とを対比して示す説明図である。
【発明を実施するための形態】
【００２０】
この発明の一実施形態を図面と共に説明する。このアンギュラ玉軸受は、内輪１と外輪２との間に鋼球等のボールからなる複数の転動体３が介在し、これら転動体３が保持器４で保持されている。内輪１と外輪２の軌道面１ａ，２ａは、接触角θが生じるように形成されている。外輪２の内周面は、軌道面２ａを挟む片方の部分に保持器４を案内する案内面２ｂが設けられ、他の片方にカウンタボア５が形成されている。カウンタボア５は、軸受幅方向の外側に至るに従って大径となるテーパ面とされている。案内面２ｂは円筒面である。案内面２ｂは軌道面２ａから保持器幅面までの幅の半分程度の幅であり、軌道面２ａに隣接して設けられている。
【００２１】
保持器４は、各転動体３を保持する複数のポケット６を幅方向の中間に有する円筒状であり、ポケット６は、例えば径方向に延びる円筒面状とされている。保持器４の材質は、例えば積層型フェノール樹脂等の樹脂の削り出し品とされるが、金属製、例えばチタン合金製等としても良い。
【００２２】
この基本構成の保持器４において、この実施形態では、保持器４における外輪２の案内面２ｂ側に幅増大部７を設け、カウンタボア５側に外径増大部８を設けている。
幅増大部７は、保持器４の外周面における外輪２の案内面２ｂで案内される被案内面４ａよりも幅方向の外側に広がる部分である。前記被案内面４ａは円筒面である。前記幅増大部７は、外周面が、被案内面４ａよりも外輪２の内周面から離れる逃がし面７ａとされている。逃がし面７ａの形状は、保持器幅面に近づくに従って外輪２の内周面から離れるテーパ状とされている。
また、幅増大部７は、前記被案内面４ａを構成する保持器幅方向部分（幅Ａの部分）よりも内径側に膨らむ断面形状とされ、これにより、図４（Ｂ）に示す一般的な保持器４Ｂよりも、幅方向および径方向に断面寸法が大きくなっている。図４（Ａ）は、比較のために、この実施形態と従来例の保持器４，４Ｂの両方を重ねて図示している。幅増大部７の内周面の断面形状は、保持器幅面側が小径となるテーパ状とされている。
【００２３】
外径増大部８は、外輪２のカウンタボア５側で、かつポケット６の中心よりも幅面側の保持器外周部分であり、外径が前記被案内面４ｂよりも大きく形成されている。外径増大部８の外周面には、この実施形態では半径方向に延びるスリット９が円周方向に並んで複数設けられている。スリット９の深さは、この実施形態では底面の径が保持器４の前記被案内面４ａと同一の径となる深さであり、これにより外径増大部８は、前記スリット９で区切られて円周方向に並ぶ複数の凸部８ａ（図２参照）として構成されている。スリット９は、上記よりも深さを浅くしてもよく、その場合、前記外径増大部８は、前記被案内面４ａよりも外径が大きな環状部分と、その環状部分の外周に並ぶ複数の凸部８ａとで構成される。なお、スリット９は必ずしも設けなくてもよく、その場合、外径増大部８は全体が環状の部分となる。
【００２４】
外径増大部８の外周面の横断面形状は、軸受幅面に最も近い部分となる最大径部分８ｂが円筒面であり、保持器幅方向の中心から前記最大径部分８ｂまでの部分が、前記外輪軌道面２ａに近づくに従って外径が次第に小さくなるテーパ面の逃がし面８ｃとされている。前記最大径部分８ｂは、保持器４が傾きを生じたときに、外輪２のカウンタボア５の内周面に接触する部位となる面である。最大径部分８ｂの外周面は、上記のように円筒面ではあるが、厳密には、保持器４が第輪２のカウンタボア５の内周面に接触する状態でカウンタボア５の内周面に最大径部分８ｂの全幅が接するテーパ面とされていても良い。
外径増大部８の突出高さは、次の隙間δａ，δｂの関係となる高さとなっている。すなわち保持器４の前記被案内面４ａと外輪２の案内面２ｂとの間の隙間δａに対する、保持器４の外径増大部８における最大径部分８ｂの外周面とこの外周面に対向する外輪２の内周面との間の隙間δｂの関係が、
δａ＜δｂ≦２δａ
とされる。
【００２５】
保持器４のポケット中心となる幅方向中心に対する両側の保持器半部の幅および体積のバランスについては、外輪２の案内面２ｂで案内される案内側の部分の幅が非案内側の部分よりも広くされ、これにより、非案内側の部分は外径増大部８を有するが、両側の保持器半部の体積が互いに等しくされている。
【００２６】
このアンギュラ玉軸受の潤滑形式は、例えばエアオイル潤滑とされる。その場合、例えば図３に示すように、ノズル付き外輪間座１０に設けられたノズル１１を、外輪２の案内面２ｂ側における内輪１と保持器４との間に挿入し、そのノズル孔１１ａからエアオイルを吐出させるようにする。
なお、潤滑形式はオイルミスト潤滑であっても、またグリース潤滑であってもよい。
【００２７】
この構成によると、保持器４が被案内面４ａよりも幅方向の外側に広がる幅増大部７を有することで保持器４の全体の重量が増える。また、保持器４の外輪カウンタ５側の部分における外周に、外径が前記被案内面４ａの外径よりも大きい外径増大部８を有するため、保持器４の重量がさらに増える。そのため、異物侵入時等に外輪内周面の案内面２ｂにおける保持器外周面との接触で発生する大きな摩擦力による保持器４の激しい振れ回りが抑えられ、異音を防ぐことができる。保持器４における外輪カウンタボア５側の部分は、内外輪１，２のいずれにも案内されないため、カウンタボア５側部分だけの重量増大では振れ回りの抑制効果が得難いが、案内面２ｂ側の重量を増やすので上記の振れ回りの抑制効果が得られる。
また、前記外径増大部８を設けると、保持器４の剛性が高まる。そうすることで、保持器４の変形が抑えられ、更には、保持器４の変形や転動体３の進み遅れに伴う保持器４の無理な応力が抑制される。
【００２８】
保持器４における外輪カウンタボア５側の外径増大部８は、通常は内外輪１，２のいずれにも案内されないが、外径が前記被案内面４ａの外径よりも大きいため、保持器４が過度に振れ触れ回ろうとした場合は、外輪２のカウンタボア５の内周面に接することで保持器４の最大の傾きが防止され、保持器４の大きな傾きや振れ回りが抑えられる。
このように、保持器４の外輪カウンタボア５側の外径増大部８は、保持器４の重量増、傾き角度抑制、および剛性増の３つの役割を兼ねる。
【００２９】
前記外径増大部８は、外周面に、半径方向に延びるスリット９が円周方向に並んで複数設けられ、これにより外径増大部８は複数の凸部８ａの並びとされている。このように外径増大部８にスリット９が設けられていると、軸受の発熱、すなわち外径増大部８を設けたことによる保持器４の外輪２との接触面の増加による発熱や、転動体３が転走する軸受空間から保持器４の側面までの排気隙間の狭小化による熱の籠もりによる軸受の発熱が抑えられる。
【００３０】
外径増大部８の高さについては、保持器４の被案内面４ａと外輪２の案内面２ｂとの間の隙間δａに対する、保持器４の外径増大部８の外周面とこの外周面に対向する外輪２の内周面との間の隙間δｂの関係が次式、
δａ＜δｂ≦２δａ
で定める関係とされているため、次の利点が得られる。
外径増大部８は、前述のように保持器４の重量増加、傾き角度抑制、剛性増の効果を奏する部分であるが、外径が小さ過ぎると、前記傾き角度抑制等の効果が得られず、外径が大き過ぎると無駄な接触による摩擦増や発熱増の問題が生じる。
前記の式で定まる隙間δｂの範囲であると、保持器４の傾き角度抑制、重量増加、剛性増の効果を得ながら、発熱増を抑制することができる。
【００３１】
また、この実施形態では、保持器４の被案内面４ａと、外径増大部８における最大径部分８ｂの外周面とが、いずれも円筒面であって、両円筒面部分の軸方向長さＡ，Ａが互いに等しいため、次の利点が得られる。
保持器４の被案内面部４ａ、および外径増大部８における外輪２の内周面に接触する部分が円筒面であると、外輪２の内周面に対して偏った接触とならず、接触しても円滑な回転が可能となる。この場合に、両円筒面部分の軸方向長さＡ，Ａが互いに等しいと、保持器４に作用する転動体３の両側での摩擦抵抗のバランスが得られる。
【００３２】
また、保持器４のポケット６の中心となる幅高校中心に対する、被案内面４ａを有する側となる保持器半部と、外径増大部８を有する保持器半部との体積が互いに同じであるため、転動体３の中心に対する両側の保持器半部の重量が等しくなるため、保持器４の回転がより一層安定する。
【００３３】
このアンギュラ玉軸受の潤滑形式については、エアオイル潤滑とされているため、潤滑の信頼性が高いことから、工作機械主軸、特にマシニングセンタの主軸等の高速な回転領域で用いられることができる。このような高速運転の用途に用いた場合、前記幅増大部７を設けると共に外径増大部８を設けたことによる効果が、より効果的に発揮される。
【００３４】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００３５】
１…内輪
１ａ…軌道面
２…外輪
２ａ…軌道面
２ｂ…案内面
３…転動体
４…保持器
４ａ…被案内面
５…カウンタボア
６…ポケット
７…幅増大部
７ａ…逃がし面
８…外径増大部
８ａ…凸部
８ｂ…最大径部分
８ｃ…逃がし面
９…スリット
１０…外輪間座
１１…ノズル
δａ、δｂ…隙間
【図１】
2020041578.tif 000003
【図２】
2020041578.tif 000004
【図３】
2020041578.tif 000005
【図４】
2020041578.tif 000006